(57)【要約】【課題】カメラからモノクロ映像を入力して、デジタル映像伝送装置で伝送する場合でも、受信側でカラーノイズのないモノクロ映像を再生できるようにする。【解決手段】デジタル映像伝送装置で、カメラから映像符号化装置１０４にモノクロ映像を入力したときに、映像符号化装置１０４内で、モノクロ映像であることを検出する。モノクロ映像入力検出信号を、通信装置１０１と伝送路１０２を介して指令装置１０３に送信する。指令装置１０３は、モノクロ映像入力検出信号に基づいて、カラーバースト信号抑制命令信号を発し、通信装置１０１と伝送路１０２を介して、当該モノクロ映像を受信する映像復号化装置１０５へ伝送する。映像復号化装置１０５は、カラーバースト信号抑制命令信号を受信すると、アナログ映像部でカラーバースト信号を抑制して、カラーノイズがないモノクロ映像を得る。【選択図】　　　図１
2004080137.tif 000002
【特許請求の範囲】
【請求項１】
複数の映像入力装置と、前記映像入力装置からのアナログ映像信号をデジタル映像信号に符号化する映像符号化装置と、デジタル映像信号をアナログ映像信号に復号する映像復号化装置と、前記映像復号化装置からアナログ映像信号を受信して映像を表示する映像出力装置と、前記映像符号化装置からデジタル映像信号を受信してループ型伝送路へ送出する手段と前記ループ型伝送路からデジタル映像信号を受信して前記映像復号化装置へ出力する手段とコマンドを送受信する手段とを有する回線制御装置を備えた通信装置と、前記映像入力装置と前記映像出力装置との対応関係を前記通信装置に指示することにより前記ループ型伝送路上に論理的な接続路を形成する指令装置とを具備するループ型デジタル映像伝送装置において、前記映像符号化装置に、モノクロ映像信号の入力を検出してモノクロ映像信号入力検出信号を出力するモノクロ映像検出手段を備え、前記回線制御装置に、前記モノクロ映像信号入力検出信号を前記指令装置に送信する手段を備え、前記指令装置に、前記モノクロ映像信号入力検出信号に基づいて前記映像復号化装置へカラーバースト信号抑制命令信号を伝送する命令伝送手段を備え、前記映像復号化装置に、カラーバースト信号抑制命令信号に応じてカラーノイズを除去するノイズ除去手段を備えたことを特徴とするループ型デジタル映像伝送装置。
【請求項２】
前記モノクロ映像検出手段は、前記デジタル映像信号の色差データの値からモノクロ映像であることを直接検知する手段を有することを特徴とする請求項１記載のループ型デジタル映像伝送装置。
【請求項３】
前記命令伝送手段は、モノクロ映像信号入力検出信号を記憶する手段と、前記映像復号化装置にカラーバースト信号抑制命令信号を伝送する手段とを有することを特徴とする請求項１または２記載のループ型デジタル映像伝送装置。
【請求項４】
前記ノイズ除去手段は、アナログ映像信号のカラーバースト信号を抑制する手段を有することを特徴とする請求項１〜３のいずれかに記載のループ型デジタル映像伝送装置。
【請求項５】
前記ノイズ除去手段は、前記指令装置からのカラーバースト信号抑制命令信号に応じてアナログ映像信号のカラーバースト信号を抑制する手段を有することを特徴とする請求項１〜４のいずれかに記載のループ型デジタル映像伝送装置。
【請求項６】
請求項１〜５のいずれかに記載のループ型デジタル映像伝送装置において用いられる映像符号化装置であって、前記モノクロ映像検出手段に、色差信号を検出するデータ検出部と、水平同期信号とクロックとから映像データの有効画素期間を検出する画素数カウンタと、映像データの有効画素期間内にイネーブル信号を出力する有効画素タイミング検出部と、クロックに同期して画素数を計数するモノクロ映像検出カウンタとを備えたことを特徴とする映像符号化装置。
【請求項７】
請求項１〜５のいずれかに記載のループ型デジタル映像伝送装置において用いられる指令装置であって、前記命令伝送手段に、カラー映像信号入力信号に基づいて前記映像復号化装置へカラーバースト信号抑制動作解除信号を伝送する手段を備えたことを特徴とする指令装置。
【請求項８】
請求項１〜５のいずれかに記載のループ型デジタル映像伝送装置において用いられる映像復号化装置であって、前記ノイズ除去手段に、カラーバースト信号抑制命令信号を受信するコマンド送受信部と、水平同期信号とクロックとからカラーバースト信号出力期間を検出する画素数カウンタと、前記画素数カウンタからの画素位置情報に基づいてカラーバースト信号発生区間を検出するカラーバーストタイミング検出部と、前記カラーバーストタイミング検出部からの信号に基づいてアナログ色信号を遮断する信号トグル部とを備えたことを特徴とする映像復号化装置。
【発明の詳細な説明】
【０００１】
【発明の属する技術分野】
本発明は、カラーノイズ抑制機能つきループ型デジタル映像伝送装置に関し、特に、複数箇所に配置されたカメラの映像を、任意の場所に設置された映像出力装置に伝送して映し出すループ型デジタル映像伝送装置に関する。
【０００２】
【従来の技術】
近年、デジタル映像符号化技術や、デジタルネットワーク技術が発達して、これらの技術を利用できる環境が整備されてきた。それにともない、デジタル映像伝送システムが普及している。このようなシステムでは、遠隔地のＴＶカメラのアナログ映像信号をデジタル映像データに変換し、デジタル映像データを多重化して、大容量の光ファイバなどの伝送路を介して、監視センターに伝送する。遠隔地の監視センターでは、映像を一括して監視することができる。
【０００３】
図８に、従来のデジタル映像伝送装置のシステム構成を示す。このデジタル映像伝送装置は、複数の通信装置８０１と、伝送路８０２と、指令装置８０３と、映像符号化装置８０４と、映像復号化装置８０５とで構成されている。伝送路８０２は、通信装置８０１を環状に接続する光ファイバなどの伝送路である。指令装置８０３は、伝送路上に論理的な接続路を提供する装置である。映像符号化装置８０４は、カメラなどの映像入力装置からの映像信号を符号化する装置である。映像復号化装置８０５は、モニタなどに映像を出力するために映像信号を復号する装置である。
【０００４】
カメラからのアナログ映像信号は、映像符号化装置８０４でデジタル映像データに変換される。デジタル映像データは、通信装置８０１で制御信号と多重化されて、伝送路８０２に送信される。この多重化されたデータは、接続路情報に基づいて、映像復号化装置８０５に接続された通信装置８０１で受信される。接続路情報は、どの入力映像をどのモニタに出力するかを設定する情報であり、指令装置８０３で予め設定される。
【０００５】
データを受信した通信装置８０１に接続された映像復号化装置８０５では、多重化されたデータから映像データのみを抽出する。デジタル映像データを、輝度信号と色信号からなるアナログ映像信号に変換する。映像復号化装置８０５で、画面の位置およびタイミングを伝える同期信号と、色信号の基準位相を示すカラーバースト信号とを重畳して、モニタなどに出力する。
【０００６】
このように、従来のデジタル映像伝送装置においては、カラーでの映像伝送を前提としており、入力映像信号の形態にかかわらず、映像復号化装置で、常にカラーバースト信号を重畳している。
【０００７】
【発明が解決しようとする課題】
しかしながら、上記の従来の映像伝送装置では、カラーでの映像伝送を前提としているので、モノクロ映像にカラーノイズが発生してしまうという問題があった。すなわち、従来の映像伝送装置では、モノクロ映像が入力されたときでも、映像復号化装置でアナログ映像を生成するときに、カラーバースト信号を重畳してしまう。そのため、モニタに映像を表示する際に、モニタが、カラーバースト信号に基づいてモノクロ映像に擬似的に着色をするので、カラーノイズが発生してしまう。
【０００８】
本発明の目的は、上記の問題を解決して、モノクロ映像を入力して伝送する場合でも、受信側でカラーノイズのないモノクロ映像を再生できるようにすることである。
【０００９】
【課題を解決するための手段】
上記の課題を解決するために、本発明では、複数の映像入力装置と、映像入力装置からのアナログ映像信号をデジタル映像信号に符号化する映像符号化装置と、デジタル映像信号とコマンドとを伝送するループ型伝送路と、デジタル映像信号をアナログ映像信号に復号する映像復号化装置と、映像復号化装置からアナログ映像信号を受信して映像を表示する映像出力装置と、映像符号化装置からデジタル映像信号を受信してループ型伝送路へ送出する手段とループ型伝送路からデジタル映像信号を受信して映像復号化装置へ出力する手段とコマンドを送受信する手段とを有する回線制御装置を備えた通信装置と、映像入力装置と映像出力装置との対応関係を通信装置に指示することによりループ型伝送路上に論理的な接続路を形成する指令装置とを具備するループ型デジタル映像伝送装置の映像符号化装置に、モノクロ映像信号の入力を検出してモノクロ映像信号入力検出信号を出力するモノクロ映像検出手段を備え、回線制御装置に、モノクロ映像信号入力検出信号を指令装置に送信する手段を備え、指令装置に、モノクロ映像信号入力検出信号に基づいて映像復号化装置へカラーバースト抑制命令信号を伝送する命令伝送手段を備え、映像復号化装置に、カラーバースト抑制命令信号に応じてカラーノイズを除去するノイズ除去手段を備えた構成とした。このように構成したことにより、入力される映像がモノクロ映像のときに、映像復号化装置において擬似着色されたモノクロ映像が出力されるのを防止できる。
【００１０】
また、モノクロ映像検出手段に、デジタル映像信号の色差データの値からモノクロ映像であることを直接検知する手段を設けた。このように構成したことにより、入力される映像がモノクロ映像のときに、簡単な構成でモノクロ映像であることを検知できる。
【００１１】
また、命令伝送手段に、モノクロ映像信号入力検出信号を記憶する手段と、映像復号化装置にカラーバースト信号抑制命令信号を伝送する手段とを設けた。このように構成したことにより、入力されたモノクロ映像を受信中の映像復号化装置が無くても、受信開始時に映像復号化装置において擬似着色されたモノクロ映像が出力されるのを防止できる。
【００１２】
また、ノイズ除去手段に、アナログ映像信号のカラーバースト信号を抑制する手段を設けた。このように構成したことにより、入力される映像がモノクロ映像のときに、カラーバースト信号により擬似着色されたモノクロ映像が出力されるのを防止できる。
【００１３】
また、ノイズ除去手段に、指令装置からのカラーバースト抑制命令に応じてアナログ映像信号のカラーバースト信号を抑制する手段を設けた。このように構成したことにより、入力される映像がモノクロ映像のときだけでなく、カラーノイズのないモノクロ映像を、指令装置からの命令でいつでも出力することができる。
【００１４】
また、映像符号化装置のモノクロ映像検出手段に、色差信号を検出するデータ検出部と、水平同期信号とクロックとから映像データの有効画素期間を検出する画素数カウンタと、映像データの有効画素期間内にイネーブル信号を出力する有効画素タイミング検出部と、クロックに同期して画素数を計数するモノクロ映像検出カウンタとを備えた。このように構成したことにより、有効画素がすべてモノクロであることを検出して、確実にモノクロ映像入力検出信号を発生することができる。
【００１５】
また、指令装置の命令伝送手段に、カラー映像信号入力信号に基づいて映像復号化装置へカラーバースト信号抑制動作解除信号を伝送する手段を備えた。このように構成したことにより、入力映像がモノクロからカラーに変わったとき、直ちにカラー映像に戻すように指令することができる。
【００１６】
また、映像復号化装置のノイズ除去手段に、カラーバースト信号抑制命令信号を受信するコマンド送受信部と、水平同期信号とクロックとからカラーバースト信号出力期間を検出する画素数カウンタと、画素数カウンタからの画素位置情報に基づいてカラーバースト信号発生区間を検出するカラーバーストタイミング検出部と、カラーバーストタイミング検出部からの信号に基づいてアナログ色信号を遮断する信号トグル部とを備えた。このように構成したことにより、カラーバースト期間を確実に検出して、アナログ色信号のカラーバースト信号のみを抑制することができる。
【００１７】
【発明の実施の形態】
以下、本発明の実施の形態について、図面を参照しながら詳細に説明する。
【００１８】
（実施の形態）
本発明の実施の形態は、映像符号化装置にモノクロ映像を入力した時、映像符号化装置内でモノクロ映像であることを検出し、指令装置を介して、映像復号化装置へカラーバースト信号抑制命令信号を送信し、映像復号化装置内のアナログ映像部で、カラーバースト信号を抑制するデジタル映像伝送装置である。
【００１９】
図１は、本発明の実施の形態におけるデジタル映像伝送装置のシステム構成図である。図１において、通信装置１０１は、映像信号と制御信号を送受信する装置である。伝送路１０２は、通信装置を接続する光ファイバなどの伝送路である。指令装置１０３は、カメラの映像とモニタの関係を制御する装置である。映像符号化装置１０４は、カメラの映像信号を符号化して通信装置に出力する装置である。映像復号化装置１０５は、通信装置から受信した映像信号を、モニタなどに出力するために復号する装置である。
【００２０】
図２は、本発明の実施の形態におけるデジタル映像伝送装置で用いる通信装置１０１の構成を示す図である。図２において、通信装置２０１は、映像信号と制御信号を送受信する装置である。回線制御装置２０２は、多重化した符号化データを伝送路へ送信するとともに、指令装置１０３からの論理接続路情報に基づいて、必要なデータを伝送路から受信する装置である。映像符号化装置２０３は、カメラからの映像信号を符号化して通信装置に出力する装置である。映像復号化装置２０４は、通信装置から受信した映像信号を、モニタなどに出力するために復号する装置である。回線制御装置２０２と映像符号化装置２０３と映像復号化装置２０４は、データ伝送バスおよびコマンド伝送バスの２本のバスで接続されている。映像データなどは、データ伝送バスを介して伝送される。また、指令装置１０３からの、符号化や復号化の動作開始や停止などの命令は、コマンド伝送バスで伝送される。
【００２１】
なお、図２に示す通信装置１０１の構成例においては、映像符号化装置２０３と映像復号化装置２０４は、それぞれ１台が接続されているが、これを複数台接続することも可能である。また、通信装置１０１に接続される指令装置１０３は、各回線制御装置で同一の接続情報を共有しているので、システムに１台接続されていればよい。
【００２２】
図３は、本発明の実施の形態におけるデジタル映像伝送装置で用いる映像符号化装置の構成図である。図３において、デジタル映像データ生成部３０１は、アナログ映像信号から輝度（Ｙ）データ、色差（ＵＶ）データ、デジタル水平同期信号および垂直同期信号からなるデジタル映像データを生成する手段である。映像符号化部３０２は、デジタル映像データを圧縮して、ビデオストリームを生成する手段である。モノクロ映像検出部３０３は、モノクロ映像であるか否かを判断する手段である。システム符号化部３０４は、ビデオストリームに付帯情報を多重化して、トランスポートストリームを生成する手段である。データ伝送バス送信部３０５は、データ伝送バスを介して回線制御装置にトランスポートストリームを送信する手段である。コマンド送受信部３０６は、コマンド伝送バスを介して回線制御装置との間で命令の通信を行う手段である。データ検出部３０７は、色差信号を検出する手段である。画素数カウンタ３０８は、水平同期信号とクロックとから映像データの有効画素期間を検出する手段である。有効画素タイミング検出部３０９は、映像データの有効画素期間内にイネーブル信号を出力する手段である。モノクロ映像検出カウンタ３１０は、クロックに同期して画素数を計数する手段である。
【００２３】
図４は、本発明の実施の形態におけるデジタル映像伝送装置で用いる映像復号化装置の構成図である。図４において、データ伝送バス受信部４０１は、トランスポートストリームを受信する手段である。システム復号化部４０２は、トランスポートストリームから、データ圧縮されたビデオストリームを抽出する手段である。システム復号化部４０３は、ビデオストリームから、輝度および色差の多重化ビデオデータと同期信号とからなるデジタル映像データを生成する手段である。Ｙ／ＵＶ分離部４０５は、多重化（ＹＵＶ）ビデオデータを、輝度信号と色差信号に分離する手段である。アナログ映像生成部４０６は、デジタルビデオデータをアナログ変換して、アナログ輝度信号と色信号を生成する手段である。画素数カウンタ４０７は、水平同期信号とクロックとから、カラーバースト信号出力期間を検出する手段である。カラーバーストタイミング検出部４０８は、画素位置に基づいてカラーバースト信号発生区間を検出する手段である。コマンド送受信部４０９は、カラーバースト信号抑制命令信号を受信する手段である。信号ＯＮ／ＯＦＦトグル部４１０は、アナログ色信号を遮断する手段である。Ｙ／Ｃ混合部４１１は、輝度信号と色信号とを混合してＮＴＳＣコンポジット信号を生成する手段である。
【００２４】
図５は、本発明の実施の形態におけるデジタル映像伝送装置で用いる回線制御装置の構成図である。図５において、データ伝送バス送受信部５０１は、データ伝送バスを介してデータの送受信を行う手段である。コマンド伝送バス送受信部５０２は、コマンド伝送バスを介してコマンドの送受信を行う手段である。データ多重化／抽出部５０３は、トランスポートストリームデータやコマンドデータの多重化と抽出を行う手段である。セル分解／組み立て部５０４は、多重化データをセルに分解し、セルを組み立てて多重化する手段である。伝送路送受信部５０５は、伝送路との間でセルの送受信をする手段である。構成情報格納部５０６は、システム構成情報や論理的な接続路情報を送受信する手段である。
【００２５】
図６は、本発明の実施の形態におけるデジタル映像伝送装置で、既に通信中の映像に対するカラーバースト信号を抑制する場合のシーケンス図である。図６において、映像符号化装置６０１は、カメラからの映像信号を符号化して、通信装置に出力する装置である。回線制御装置６０２，６０４は、多重化した符号化データを伝送路へ送信するとともに、データを伝送路から受信する装置である。指令装置６０３は、カメラの映像とモニタの関係を制御する装置である。映像復号化装置６０５は、通信装置から受信した映像信号を、モニタなどに出力するために復号する装置である。
【００２６】
図７は、本発明の実施の形態におけるデジタル映像伝送装置で、新規通信開始時の映像に対するカラーバースト信号を抑制する場合のシーケンス図である。図７において、映像符号化装置７０１は、カメラからの映像信号を符号化して、通信装置に出力する装置である。回線制御装置７０２，７０４は、多重化した符号化データを伝送路へ送信するとともに、データを伝送路から受信する装置である。指令装置７０３は、カメラの映像とモニタの関係を制御する装置である。映像復号化装置７０５は、通信装置から受信した映像信号を、モニタなどに出力するために復号する装置である。
【００２７】
上記のように構成された本発明の実施の形態におけるデジタル映像伝送装置の動作を説明する。最初に、図１を参照しながら、デジタル映像伝送装置の機能の概略を説明する。通信装置１０１は、映像信号と制御信号を送受信する。伝送路１０２は、光ファイバなどで通信装置を接続する。映像符号化装置１０４は、カメラの映像信号を符号化して通信装置に出力する。映像復号化装置１０５は、通信装置から受信した映像信号を復号して、モニタに出力する。指令装置１０３は、伝送路上の通信装置の情報を記憶すると同時に、どのカメラからの映像をどのモニタに表示させるかといった論理的な接続路を提供する。符号化や復号化の動作開始や停止などに関する指令装置１０３からの命令は、コマンド伝送バスで伝送される。
【００２８】
図２と図３を参照しながら、映像符号化装置２０３の動作を説明する。コマンド送受信部３０６は、図２に示すコマンド伝送バスを介して、回線制御装置と命令の通信を行う。デジタル映像データ生成部３０１は、アナログ映像信号から、輝度（Ｙ）データと色差（ＵＶ）データとデジタル水平同期信号と垂直同期信号とからなるデジタル映像データを生成する。モノクロ映像検出部３０３は、モノクロ映像であるか否かを判断する。映像符号化部３０２は、デジタル映像データを圧縮して、ビデオストリームを生成する。システム符号化部３０４は、ビデオストリームに付帯情報を多重化して、トランスポートストリームを生成する。データ伝送バス送信部３０５は、トランスポートストリームを、データ伝送バスを介して回線制御装置に送信する。各回線制御装置は、指令装置１０３からの同一の接続情報を共有している。
【００２９】
モノクロ映像検出部３０３は、画素数カウンタ３０８と、有効画素タイミング検出部３０９と、データ検出部３０７と、モノクロ映像検出カウンタ３１０とから構成されており、色差データからモノクロ映像であるか否かを検出している。色差データは、１０進数で１６から２４０までの値を持つ。値が１２８のときに、無彩色である。すなわち、入力映像信号がモノクロであることに対応する。データ検出部３０７で色差データを読み込んだとき、色差信号が１２８である場合に、モノクロ映像検出カウンタ３１０に、イネーブル信号を出力する。
【００３０】
デジタル映像データ生成部３０１から映像データと同時に出力される水平同期信号とクロックとから、画素数カウンタ３０８で、映像データの有効画素期間を検出する。映像データの有効画素期間内においては、有効画素タイミング検出部３０９から、イネーブル信号をモノクロ映像検出カウンタ３１０に出力する。
【００３１】
データ検出部３０７からイネーブル信号が出力され、かつ有効画素タイミング検出部３０９のイネーブル信号が出力されたときに、モノクロ映像検出カウンタ３１０では、クロックに同期して内部カウンタで画素数を計数する。この内部カウンタが、水平有効画素期間全域の数に達したら、モノクロ映像入力検出信号を発生する。また、モノクロ映像検出カウンタ３１０で計数中に、データ検出部３０７で１２８以外の値を読み込んだ場合は、モノクロ映像検出カウンタ３１０を初期化し、カラー映像信号入力信号を発生する。モノクロ映像入力検出信号およびカラー映像信号入力信号は、コマンド送受信部３０６からコマンド伝送バスを介して、回線制御装置２０２に送信される。
【００３２】
図４を参照しながら、図２に示した映像復号化装置２０４の動作を説明する。コマンド送受信部４０９は、映像符号化装置２０３におけるコマンド送受信部３０６と同等の動作をする。データ伝送バス受信部４０１は、回線制御装置２０２からデータ伝送バスを介して送られてくるトランスポートストリームを受信する。システム復号化部４０２は、トランスポートストリームからデータ圧縮されたビデオストリームを抽出する。映像復号化部４０４は、ビデオストリームから、輝度および色差の多重化（ＹＵＶ）ビデオデータとデジタル水平同期信号と垂直同期信号とからなるデジタル映像データを生成する。Ｙ／ＵＶ分離部４０５は、多重化（ＹＵＶ）ビデオデータを、輝度信号と色差信号に分離する。アナログ映像生成部４０６は、ビデオデータのデジタル−アナログ変換を行って、アナログ輝度（Ｙ）信号と色（Ｃ）信号を生成する。画素数カウンタ４０７は、水平同期信号とクロックとに基づいて、映像データの画素位置をカウントする。カラーバーストタイミング検出部４０８は、画素数カウンタで求めた画素位置に基づいて、カラーバースト信号抑制命令信号発生時に、ＮＴＳＣアナログ映像規格で規定されているカラーバースト信号発生区間を検出する。信号ＯＮ／ＯＦＦトグル部４１０は、色信号の出力を有効または無効にする。Ｙ／Ｃ混合部４１１は、輝度信号と色信号とを混合してＮＴＳＣコンポジット信号を生成し、モニタなどに出力する。
【００３３】
指令装置１０３から回線制御装置２０２を介してカラーバースト信号抑制命令信号を受けた場合における映像復号化装置２０４での処理について説明する。映像データと同時に映像復号化部４０４から出力される水平同期信号とクロックとから、ＮＴＳＣアナログ映像信号規格で規定されているカラーバースト信号出力期間を、画素数カウンタ４０７で検出する。カラーバースト信号出力期間内では、カラーバーストタイミング検出部４０８に、イネーブル信号を出力する。カラーバーストタイミング検出部４０８では、コマンド送受信部４０９からのカラーバースト信号抑制命令信号が有効で、かつ画素数カウンタ４０７からの出力がイネーブルである時、すなわち、映像符号化装置２０３で入力信号がモノクロ信号であると判断され、かつカラーバースト信号発生区間中であるときに、信号ＯＮ／ＯＦＦトグル部４１０に対してイネーブル信号を発生する。
【００３４】
カラーバーストタイミング検出部４０８からの出力が有効になったときに、アナログ映像生成部４０６から出力されるアナログ信号のうちの色信号を、信号ＯＮ／ＯＦＦトグル部４１０で遮断して、後段のＹ／Ｃ混合部４１１へ出力しないようにする。したがって、映像出力装置には、カラーバースト信号のない信号が出力され、モニタ側では、正常にモノクロ映像として表示される。
【００３５】
図５を参照しながら、回線制御装置の動作を説明する。データ伝送バス送受信部５０１は、映像符号化装置２０３や映像復号化装置２０４と、データ伝送バスを介してデータの送受信を行う。コマンド伝送バス送受信部５０２は、同じくコマンド伝送バスを介してコマンドの送受信を行う。データ多重化／抽出部５０３は、データ伝送バス送受信部５０１から出力されるトランスポートストリームデータや、コマンド伝送バス送受信部５０２から出力されるコマンドデータを、多重化したり多重化を解いたりする。セル分解／組み立て部５０４は、多重化されたデータから、伝送路内を流れるセルに分解および組み立てを行う。伝送路送受信部５０５は、伝送路にセルを送信するとともに、当該通信装置１０１向けのセルを受信する。構成情報格納部５０６は、指令装置１０３との間で、システム構成情報や論理的な接続路情報を送受信する。
【００３６】
構成情報格納部５０６では、通信装置１０１に新しく映像符号化装置２０３や映像復号化装置２０４が物理的に接続された場合に、通信装置１０１内の構成情報を更新し、指令装置１０３に、更新された構成情報を送信する。また、当該通信装置１０１に接続された映像符号化装置２０３や映像復号化装置２０４に対して、指令装置から接続路情報が到達した時は、当該の映像符号化装置２０３や映像復号化装置２０４に、コマンド伝送バス送受信部５０２を介して、符号化開始情報または復号化開始情報を送信する。さらに、映像符号化装置２０３から、モノクロ映像入力検出信号またはカラー映像入力検出信号が、コマンド伝送バス送受信部５０２を介して到達した場合、モノクロ映像入力検出信号またはカラー映像入力検出信号を、伝送路を介して指令装置１０３に送信する。
【００３７】
指令装置１０３には、各通信装置に接続されている映像符号化装置２０３や映像復号化装置２０４の情報と、どのカメラからの映像をどのモニタに表示させるかといった論理的な接続路の情報が格納されている。このとき、映像符号化装置２０３からモノクロ映像入力検出信号またはカラー映像入力検出信号が、回線制御装置２０２を介して指令装置１０３に到達した場合、指令装置１０３内に格納されている映像符号化装置２０３に関する情報の中に、入力信号がモノクロ映像入力またはカラー映像入力であることを示す情報を格納する。そして、既に当該映像符号化装置２０３からの映像を出力している映像があれば即座に、まだ映像が出力されていない場合は、新規に映像出力が行われる時に、映像復号化装置２０４に対して、カラーバースト信号抑制命令信号を送信する。
【００３８】
図６を参照しながら、デジタル映像伝送装置におけるカラーノイズ抑制動作の流れについて説明する。既に通信中の映像符号化装置７０１に、モノクロ映像が入力された場合の例を、図６に示す。通信装置Ａに接続されている映像符号化装置６０１が、モノクロ映像入力を検出すると、同一通信装置内の回線制御装置６０２へ、コマンド伝送バスを介して、モノクロ映像入力検出信号を送信する。回線制御装置６０２は、もし指令装置６０３が当該通信装置に接続されていれば直接、また他の通信装置に接続されていれば伝送路を介して、指令装置６０３に検出信号を送信する。
【００３９】
指令装置６０３では、検出信号を受信すると、指令装置６０３が有する伝送路上の通信装置の情報に、このモノクロ映像入力検出の情報を格納する。そして、この例のように、既に映像符号化装置６０１と映像復号化装置６０５が通信中の場合、即座に、通信中の映像復号化装置６０５を有する通信装置Ｂに、カラーバースト信号抑制信号を送信する。通信装置Ｂがカラーバースト信号抑制信号を受信すると、コマンド伝送バスを介して、映像復号化装置６０５に対して、カラーバースト信号抑制信号を送信する。映像復号化装置６０５が、このカラーバースト信号抑制命令信号を受信すると、図６に示した手順に従って、カラーバースト信号抑制動作を開始する。
【００４０】
また、再びカラー映像信号が入力された場合、同様の流れで、映像符号化装置６０１は、カラー映像信号入力信号を指令装置に送信する。指令装置から、カラーバースト信号抑制動作解除信号を、映像復号化装置に送信する。映像復号化装置は、カラーバースト信号抑制動作解除信号に基づき、カラーバースト信号抑制動作を解除する。
【００４１】
図７を参照しながら、他の映像復号化装置と通信していない映像符号化装置に、モノクロ映像が入力された場合の例を説明する。この場合、映像符号化装置７０１でモノクロ映像を検出してから、指令装置７０３が内部の構成情報にデータを格納するまでの動作は、図６に示した場合と同様である。しかし、この例では、接続中の通信が存在しないため、カラーバースト信号抑制機能を指定する必要がないので、新規に接続動作が行われるまでは、何も動作を行わない。新規通信開始の動作が行われるとき、送信元の映像符号化装置７０１を持つ通信装置Ｃに対しては、通常の接続情報を送信し、受信先の映像復号化装置７０５に接続された通信装置Ｄに対しては、カラーバースト抑制信号を重畳した接続情報を送信する。通信装置Ｃから接続情報を受信した映像符号化装置７０１は、通常どおり符号化を開始する。通信装置Ｄから接続情報を受信した映像復号化装置７０５は、カラーバースト抑制機能を有効にした上で、復号化動作を開始する。これにより、通信開始時点においても、カラーバースト抑制機能を有効とした映像出力が可能となる。
【００４２】
なお、この実施の形態では、モノクロ映像を自動検出することを前提としているが、必ずしもこれに限る必要はない。予め接続する入力装置がモノクロであることが判っていれば、指令装置にてこれを登録することにより、復号開始時に一回、信号を映像復号化部に送信すれば、常時カラーノイズ抑制回路を働かせることが可能である。
【００４３】
上記のように、本発明の実施の形態では、デジタル映像伝送装置を、映像符号化装置にモノクロ映像を入力した時、映像符号化装置内でモノクロ映像であることを検出し、指令装置を介して、映像復号化装置へカラーバースト信号抑制命令信号を送信し、映像復号化装置内のアナログ映像部で、カラーバースト信号を抑制する構成としたので、完全なモノクロ映像を得ることができる。
【００４４】
【発明の効果】
以上の説明から明らかなように、本発明では、映像符号化装置でモノクロ映像信号の入力を検出し、指令装置でモノクロ映像信号入力検出信号に基づいて映像復号化装置へカラーバースト信号抑制命令信号を伝送し、映像復号化装置で、カラーバースト信号抑制命令信号に応じてカラーバースト信号を抑制する構成としたので、カラーノイズのないモノクロ映像を再生することができる。
【００４５】
また、デジタル映像信号の色差データの値からモノクロ映像であることを直接検知する構成としたので、映像符号化装置で入力信号の種別を知ることなくカラーノイズを除去でき、ユーザ側でカメラなどに特別な機構を用意する必要がなく、映像符号化部に通常のカメラを接続して使用することが可能である。
【００４６】
さらに、モノクロ映像信号入力検出信号を記憶する手段と、映像復号化装置にカラーバースト信号抑制命令信号を伝送する手段とを設けた構成としたので、モノクロ映像信号入力検出信号を直接映像復号化部に伝送しないで、任意のタイミングで映像復号化部に伝送することで、不要なコマンド伝送をなくして、回線負荷を抑えることが可能になる。
【図面の簡単な説明】
【図１】本発明の実施の形態におけるデジタル映像伝送装置の機能ブロック図、
【図２】本発明の実施の形態におけるデジタル映像伝送装置で用いる通信装置の機能ブロック図、
【図３】本発明の実施の形態におけるデジタル映像伝送装置で用いる映像符号化装置の機能ブロック図、
【図４】本発明の実施の形態におけるデジタル映像伝送装置で用いる映像復号化装置の機能ブロック図、
【図５】本発明の実施の形態におけるデジタル映像伝送装置で用いる回線制御装置の機能ブロック図、
【図６】本発明の実施の形態におけるデジタル映像伝送装置で、既に通信中の映像に対するカラーバースト信号を抑制する場合のシーケンス図、
【図７】本発明の実施の形態におけるデジタル映像伝送装置で、新規通信開始時の映像に対するカラーバースト信号を抑制する場合のシーケンス図、
【図８】従来のデジタル映像伝送装置の構成を示す機能ブロック図である。
【符号の説明】
１０１　通信装置
１０２　伝送路
１０３　指令装置
１０４　映像符号化装置
１０５　映像復号化装置
２０１　通信装置
２０２　回線制御装置
２０３　映像符号化装置
２０４　映像復号化装置
３０１　デジタル映像データ生成部
３０２　映像符号化部
３０３　モノクロ映像検出部
３０４　システム符号化部
３０５　データ伝送バス送信部
３０６　コマンド送受信部
３０７　データ検出部
３０８　画素数カウンタ
３０９　有効画素タイミング検出部
３１０　モノクロ映像検出カウンタ
４０１　データ伝送バス受信部
４０２　システム復号化部
４０３　システム復号化部
４０４　映像復号化部
４０５　Ｙ／ＵＶ分離部
４０６　アナログ映像生成部
４０７　画素数カウンタ
４０８　カラーバーストタイミング検出部
４０９　コマンド送受信部
４１０　信号ＯＮ／ＯＦＦトグル部
４１１　Ｙ／Ｃ混合部
５０１　データ伝送バス送受信部
５０２　コマンド伝送バス送受信部
５０３　データ多重化／抽出部
５０４　セル分解／組み立て部
５０５　伝送路送受信部
５０６　構成情報格納部
６０１　映像符号化装置
６０２　回線制御装置
６０３　指令装置
６０４　回線制御装置
６０５　映像復号化装置
７０１　映像符号化装置
７０２　回線制御装置
７０３　指令装置
７０４　回線制御装置
７０５　映像復号化装置
【図１】
2004080137.tif 000003
【図２】
2004080137.tif 000004
【図３】
2004080137.tif 000005
【図４】
2004080137.tif 000006
【図５】
2004080137.tif 000007
【図６】
2004080137.tif 000008
【図７】
2004080137.tif 000009
【図８】
2004080137.tif 000010